(57)【要約】      （修正有）【課題】重量物である大型ディスプレイを壁面に設置できる構造に於いて、メンテナンスの際に安全かつ容易に手前へ引き出せることができる大型ディスプレイ用引出し壁面ハンガーを提供する。【解決手段】大型ディスプレイ用引出し壁面ハンガーは、取付ベース１と本体フレーム２が２組の交差したアングル３とガスダンパー４により連結されており、アングル３が伸縮することで本体フレーム２の前後動作を可能とし、大型ディスプレイＡの背面に接続固定した大型ディスプレイ取付金具１０を本体フレーム２に掛止させ、大型ディスプレイＡを収納した際、取付ベース１に付設固定したロック装置７の鉤状突起が本体フレーム２に付設固定した受け座８に掛止され、ロック装置７から垂設されたワイヤー９を下に引くことで掛止された状態を解除でき、大型ディスプレイＡを安全且つ容易に引き出せる。【選択図】図１
0003234424.tif 000002
【実用新案登録請求の範囲】
【請求項１】
壁面に固定する取付ベースと大型ディスプレイを掛止する本体フレームが２組の交差したアングルとガスダンパーで連結され、この交差したアングルが前後に伸縮する機構を用い、大型ディスプレイ背面に接続固定した大型ディスプレイ取付金具を本体フレームに掛止させられ、さらに大型ディスプレイを収納した際に、取付ベースに付設固定されたロック装置の鉤状突起が本体フレームの受け座と掛止することで収納状態を保つことができ、且つロック装置の開閉レバーから垂設されたワイヤーを下に引くことで掛止状態を解除できる構造とする大型ディスプレイ用引出し壁面ハンガー。
【請求項２】
前記、取付ベースに付設固定されたロック装置の鉤状突起が本体フレームの受け座と掛止することで収納状態を保つことができる堅牢なロック装置とした請求項１記載の大型ディスプレイ用引出し壁面ハンガー。
【考案の詳細な説明】
【技術分野】
【０００１】  本考案は、大型ディスプレイが壁面に設置された状態で容易に引き出すことができる壁面ハンガーに関するものである。
【背景技術】
【０００２】  近年、様々な場所で使用され広く普及しているディスプレイが大型化してきており、大型画面での視聴やＴＶ会議を目的として、大型ディスプレイを直接壁面に設置し、床面空間を有効活用させる形態が多用されている。【０００３】  又、ディスプレイの大型化に伴い重量も増えていることから大人数での取り付け・取り外しが必須になる為、金具自体が前方に引き出る構造であれば大型ディスプレイを取り外さなくてもメンテナンスをおこなうことができる。【０００４】  例えば非特許文献１では、ディスプレイの背面に固定する金具が伸縮する機構を設けており、壁面に取り付ける溝加工を施した角型のパイプに対して掛止することで、ディスプレイを取り外さなくてもメンテナンスできる構造が開示されている。
【先行技術文献】
【非特許文献】
【０００５】
【非特許文献１】「オーロラＡＶ総合カタログＶｏｌ．５０」株式会社共栄商事Ｐ．４３
【考案の概要】
【考案が解決しようとする課題】
【０００６】  大型ディスプレイは重量物であり、一般的な壁面取付金具だとメンテナンスの際などに掛止している大型ディスプレイを金具から一度取り外す必要がある為、大人数で作業をおこなわなければならず、非常に手間がかかり労働的負担となりコスト負担も大きくなっている。また、大型ディスプレイの重量に金具が耐えられず、引き出し自体も困難である。【０００７】  しかしながら、非特許文献１では、大型ディスプレイを壁面に設置する金具であり前方に引き出せる構造となっているが、金具自体の耐久性が脆弱であり、安全性や耐久性を鑑みると重量物の大型ディスプレイを設置することには向いていない。また、大型ディスプレイを引き出す際に、大型ディスプレイを一度壁側に押すことで前方に引き出る構造となっているが故に、意図しない力が加わった際に大型ディスプレイが前方に引き出てしまう恐れがある。【０００８】  本考案は、重量物である大型ディスプレイに耐えうる強度を持って壁面設置できるとともに、金具自体が引き出てくることで施工後のメンテナンスも大型ディスプレイを取り外すことなく容易におこなうことができ、且つ、意図しない力が加わってもロックが外れないことを可能とすることで前述の課題を解決しようとするものである。
【課題を解決するための手段】
【０００９】  本考案の大型ディスプレイ用引出し壁面ハンガーは、壁面に固定する取付ベースと大型ディスプレイを掛止する本体フレームが２組の交差した堅牢なアングルとガスダンパーにより連結されており、この交差したアングルが前後に伸縮する構造となっている。【００１０】  又、壁面に固定する取付ベースに付設固定された掛止型ロック装置により、大型ディスプレイ収納時に取付ベースと本体フレームが連結され収納状態を保持し、ロック装置から垂設されたワイヤーを下に引くことで本体フレームとの連結が解除され、前方へ引き出せる機構となっている。
【考案の効果】
【００１１】  本考案の効果として、構成された金具自体が堅牢な構造となっているが故、重量物である大型ディスプレイであっても問題なく壁面に設置でき、交差した堅牢なアングルによる伸縮機構とガスダンパーの反力により、大きな力を加えなくても滑らかに前方へ引き出すことが可能である。【００１２】  又、壁面に固定する取付ベースに掛止型ロック装置が付設固定されているので、大型ディスプレイ収納時に確実なロックをおこなうことができ、ロック装置から垂設されたワイヤーを下に引くだけでロック解除も可能となっており、安全面に優れ、少人数でのメンテナンスも容易におこなうことができ便利である。
【図面の簡単な説明】
【００１３】
【図１】本考案に係る大型ディスプレイ用引出し壁面ハンガーの正面斜視図である。
【図２】同上の側面図であり、大型ディスプレイを掛止させた本体フレームを前方に引き出した状態を示している。
【図３】同上の側面図であり、大型ディスプレイを掛止させた本体フレームを収納した状態を示している。
【考案を実施するための形態】
【００１４】  以下、本考案を実施するための形態を図面にもとづき説明する。
【実施例】
【００１５】  図１は本考案に係る大型ディスプレイ用引出し壁面ハンガーの正面斜視図であり、取付ベース１と、本体フレーム２が２組の交差したアングル３とガスダンパー４により連結され、大型ディスプレイＡの背面に接続固定したディスプレイ取付金具１０を本体フレーム２に掛止させ前方に引き出した状態を示している。【００１６】  図２は同上図１で示した大型ディスプレイＡを掛止させた本体フレーム２を前方に引き出した側面図である。壁面に固定する複数の長孔を設けた取付ベース１と、大型ディスプレイＡを掛止する本体フレーム２が２組の交差したアングル３とガスダンパー４により連結されており、取付ベース１と本体フレーム２と交差したアングル３の各々の連結箇所には丸棒５が挿嵌されている。下部に挿嵌されている丸棒５が長穴６をガイドとして上下に動くことで２組の交止したアングル３が伸縮し本体フレーム２の前後動作を可能としている。【００１７】  ２組の交差したアングル３は、各々が板金をＣ型に折り曲げた形状となっており、その両端と中央に穴が開いていることで丸棒５を挿嵌させ取付ベース１と本体フレーム２に連結できる構造となっている。アングル３は強度を増す為にＣ型に折り曲がった形状をしており、重量物である大型ディスプレイＡを本体フレーム２に掛止させても傾くことがなく水平に引き出すことが可能となっている。【００１８】  ガスダンパー４は取付ベース１と本体フレーム２にボルトで付設固定されており、ガスダンパー４の反力が前方に引き出す推力となっているので、大型ディスプレイＡを容易に引き出すことができる。【００１９】  図３は同上図１で示した大型ディスプレイＡを掛止させた本体フレーム２を収納した側面図である。大型ディスプレイＡを収納した際、取付ベース１に付設固定されたロック装置７の鉤状突起が本体フレーム２に付設固定された受け座８に掛止し、収納した状態を保持することができ、ロック装置７から垂設されたワイヤー９を下に引くことで掛止された状態を解除することが可能となっている。【００２０】  ロック装置７の鉤状突起は開閉レバーを設けた掛止機構になっており、その開閉レバーを引くと鉤状突起の掛止状態を解除することができる。大型ディスプレイＡの収納時には、ロック装置７の鉤状突起が本体フレーム２に付設固定された受け座８に対して確実に掛止され、開閉レバーに垂設したワイヤー９を下に引くだけで掛止状態を解除できるので、意図しない力が大型ディスプレイＡに加わってもロックが外れることがなく、安全面や操作性に優れる。
【産業上の利用可能性】
【００２１】  本考案は、上述したように重量物である大型ディスプレイを安全に設置でき、メンテナンスも容易におこなうことを可能とした壁面用の金具として勘案されているが、壁面だけでなく自立したフレーム構造体にも設置が可能であり、ディスプレイ以外の引出し装置としても転用することができ、様々な形態に応用し利用できる。
【符号の説明】
【００２２】１．  取付ベース
２．  本体フレーム
３．  アングル
４．  ガスダンパー
５．  丸棒
６．  長穴
７．  ロック装置
８．  受け座
９．  ワイヤー
１０．大型ディスプレイ取付金具
Ａ．  大型ディスプレイ
Ｂ．  壁面
【図１】
0003234424.tif 000003
【図２】
0003234424.tif 000004
【図３】
0003234424.tif 000005